(57)【要約】【課題】球排出口から排出される遊技球を他の遊技球に邪魔されずに確実に入賞口に導き遊技者の期待を裏切ることが起きないようにして遊技上のサービスの向上を図ることができるようにしたパチンコ遊技機を提供する。【解決手段】遊技盤５面を流下する遊技球Ｂを受け入れると共に該遊技球Ｂを遊技盤５面へ排出する球排出口２７が設けられる役物装置７と、前側から投影して球排出口２７と同一鉛直線上に位置しかつその下方の遊技盤５面に装着される入賞口８とを備え、球排出口２７の後側に進退自在に可動しかつ球排出口２７よりも前側へ突出し得る防護部材２８を配置し、該防護部材２８は球排出口２７から排出され入賞口８に導かれる遊技球Ｂにより前側へ突出して排出される遊技球Ｂの側方を囲うようにした。【選択図】図４
2006314395.tif 000002
【特許請求の範囲】
【請求項１】
遊技盤面に装着され該遊技盤面を流下する遊技球を受け入れると共に該遊技球を前記遊技盤面へ排出する球排出口が設けられる役物装置と、前側から投影して前記球排出口と同一鉛直線上に位置しかつその下方の遊技盤面に装着される入賞口とを備えてなるパチンコ遊技機であって、
前記球排出口の後側に進退自在に可動しかつ該球排出口よりも前側へ突出し得る防護部材を配置してなり、前記防護部材は前記球排出口から排出され前記入賞口に導かれる遊技球により前側へ突出して排出される該遊技球の側方を囲うようにした構成からなることを特徴とするパチンコ遊技機。
【請求項２】
遊技盤面に装着され該遊技盤面を流下する遊技球を受け入れると共に該遊技球を前記遊技盤面へ排出する球排出口が設けられる役物装置と、前側から投影して前記球排出口と同一鉛直線上に位置しかつその下方の遊技盤面に装着される入賞口とを備えてなるパチンコ遊技機であって、
前記球排出口の後側に進退自在に可動しかつ該球排出口よりも前側へ突出し得る防護部材を配置してなり、前記防護部材は駆動手段を駆動させることにより前側へ突出して前記球排出口から排出され前記入賞口に導かれる遊技球の側方を囲うようにした構成からなることを特徴とするパチンコ遊技機。
【請求項３】
前記防護部材は、前記球排出口の下縁に遊技盤面と平行かつ水平に配置され前後方向に自在に回転する支軸と該支軸の両端に該支軸に直角に固着される一対の防護板とからなる請求項１又は２記載のパチンコ遊技機。
【発明の詳細な説明】
【技術分野】
【０００１】
本発明は、遊技盤面に装着されると共に球排出口が設けられる役物装置と、前記球排出口の下方に位置し前記球排出口から排出した遊技球が導かれる入賞口と、を備えたパチンコ遊技機に関するものである。
【背景技術】
【０００２】
従来、この種パチンコ遊技機にあっては、例えば、遊技盤の中央部に役物装置として文字、数字、図柄等の表示を変動表示する表示部を有した表示装置が装着され、その下方には遊技球が入賞することにより前記表示部の情報を変動させる入賞口としての始動入賞口、更に、その下方に前記表示部の情報が停止しその停止したときの情報が例えば「７７７」に揃ったとき大当り状態となり、一定の条件で一度に多くの入賞球が得られる入賞装置が装着された構成のものが人気を博している（例えば、特許文献１参照。）。
【０００３】
通常、前記表示装置は、表示部の前側下方に前方へ突出するステージが張設され、前記表示部の両側には遊技盤面を流下する遊技球を受け入れて前記ステージの上面に導く球誘導通路が設けられている。前記ステージの上面は緩やかな山形に成形され、その略中央に底面が後側に下傾する案内溝が設けられると共にその後端に遊技球が流入する開口部が開設されている。該開口部はその下方に設けられる排出通路と連通しており、該排出通路の流下端が前記始動入賞口の真上に位置する球排出口に連通している。
【０００４】
そして、例えば遊技盤面を流下する遊技球であって前記球誘導通路に受け入れられた遊技球は、ステージの上面に導かれその上面を遊動しつつその前端縁から下方へ落下する。この内、運の良い遊技球は前記始動入賞口に入賞することになるが、その可能性は極めて低い。一方、前記ステージ上面を遊動している間に、たまたま前記案内溝から開口部に入った遊技球は、排出通路を介して前記球排出口から排出される。この球排出口から排出される遊技球は、始動入賞口に入賞する確率が非常に高いように設定してある。よって、遊技者は前記開口部に遊技球が入ると、球排出口を介して始動入賞口に入賞するであろうという期待感を強く抱くことになる。
【特許文献１】特開２００４−１０５７６６号公報（第５−６頁、図１）
【発明の開示】
【発明が解決しようとする課題】
【０００５】
ところが、前記特許文献１のパチンコ遊技機にあって、前記球排出口と始動入賞口との間で、該球排出口から排出される遊技球が、例えば横方向から飛来する他の遊技球の接触によってその方向を変えられてしまい始動入賞口に入賞しなかったとすると、遊技者にとってほとんど入賞するであろうという高まる期待が一瞬にして裏切られることになる。このように入賞するであろうという期待が裏切られると、遊技者は損した気持ちを抱くばかりか大きな精神的ダメージを受け遊技の興趣を極端に殺がれることになる。よって、遊技者へのサービス向上の面からすれば、この点は早急に解決すべきところである。
【０００６】
そこで、本発明は上記課題に鑑みてなされたもので、球排出口から排出される遊技球を他の遊技球に邪魔されずに確実に入賞口に導き遊技者の期待を裏切る事態が起きないようにして遊技が楽しんで行なえ、これにより遊技上のサービスの向上を図ることができるようにしたパチンコ遊技機を提供することを目的とするものである。
【課題を解決するための手段】
【０００７】
かかる目的を達成するため本発明に係るパチンコ遊技機は、遊技盤面に装着され該遊技盤面を流下する遊技球を受け入れると共に該遊技球を前記遊技盤面へ排出する球排出口が設けられる役物装置と、前側から投影して前記球排出口と同一鉛直線上に位置しかつその下方の遊技盤面に装着される入賞口とを備えてなるパチンコ遊技機であって、前記球排出口の後側に進退自在に可動しかつ該球排出口よりも前側へ突出し得る防護部材を配置してなり、該防護部材は前記球排出口から排出され前記入賞口に導かれる遊技球により前側へ突出して排出される該遊技球の側方を囲うようにした構成からなる。
【０００８】
または、本発明に係るパチンコ遊技機は、遊技盤面に装着され該遊技盤面を流下する遊技球を受け入れると共に該遊技球を前記遊技盤面へ排出する球排出口が設けられる役物装置と、前側から投影して前記球排出口と同一鉛直線上に位置しかつその下方の遊技盤面に装着される入賞口とを備えてなるパチンコ遊技機であって、前記球排出口の後側に進退自在に可動しかつ該球排出口よりも前側へ突出し得る防護部材を配置してなり、該防護部材は駆動手段を駆動させることにより前側へ突出して前記球排出口から排出され前記入賞口に導かれる遊技球の側方を囲うようにした構成からなる。
【０００９】
いずれの場合も、前記防護部材は、前記球排出口の下縁に遊技盤面と平行かつ水平に配置され前後方向に自在に回転する支軸と該支軸の両端に該支軸に直角に固着される一対の防護板とからなる構成とすることが好ましい。
【発明の効果】
【００１０】
本発明に係るパチンコ遊技機は、役物装置に設けられる球排出口の後側に進退自在に可動しかつ該球排出口よりも前側へ突出し得る防護部材を配置し、前記球排出口から排出され入賞口に導かれる遊技球により防護部材を前側へ突出して排出される該遊技球の側方を囲うようにしたので、前記球排出口から排出される遊技球を他の遊技球に邪魔されずに確実に入賞口に導くことができ、遊技者の期待を裏切るような事態が起きず遊技が楽しんで行なえ、これにより遊技上のサービスの向上を図ることができるという効果を有する。また、防護部材は遊技球によって可動するので、例えば他の駆動手段が必要ないことから、構成が簡単となり製作コストも低廉になし得るという効果が有る。
【００１１】
また、本発明に係るパチンコ遊技機は、役物装置に設けられる球排出口の後側に進退自在に可動しかつ該球排出口よりも前側へ突出し得る防護部材を配置し、駆動手段を駆動させることにより防護部材を前側へ突出して前記球排出口から排出され前記入賞口に導かれる遊技球の側方を囲うようにしたので、前記と同様に球排出口から排出される遊技球を他の遊技球に邪魔されずに確実に入賞口に導くことができ、遊技者の期待を裏切るような事態が起きず遊技が楽しんで行なえ、これにより遊技上のサービスの向上を図ることができるという効果を有する。また、駆動手段により防護部材を可動するようにしているので、その誤動作がほとんどなく遊技球を入賞口へ導くという確実性が高められるという効果が有る。
【００１２】
更に、本発明に係るパチンコ遊技機は、防護部材を球排出口の下縁に水平に配置され前後方向に自在に回転する支軸とこの両端に固着される一対の防護板とから構成するようにすれば、球排出口から排出される遊技球の両側方を囲うことになり、該遊技球を入賞口へ導くという確実性がより高められるという効果が有る。
【発明を実施するための最良の形態】
【００１３】
以下、本発明に係るパチンコ遊技機の実施の形態を図面に基き説明する。図１は本発明が適用されるパチンコ遊技機の正面図である。パチンコ遊技機Ｐは、縦長方形枠状に成形される外枠１と、該外枠１の前面に配置され一側の上下位置に設けられた蝶番２，２によって開閉自在に取着される遊技盤取付枠３と、該遊技盤取付枠３の前面に配置され同じく前記上・下の蝶番２，２によって同軸上に軸着される前面枠４とを備えている。前記遊技盤取付枠３に遊技盤５が配設されている。
【００１４】
前記遊技盤５の前面にはガイドレール６により囲まれる遊技部５ａが成形され、該遊技部５ａの略中央に表示部７ａを備えた表示装置７が装着され、また、その下方に遊技球が入賞することにより前記表示部７ａに表示される文字、数字、図形等の情報を変動表示させる入賞口としての始動入賞口８が装着される。更に、その下方に位置して前記変動した情報が一定の時間経過後に停止して特定の表示（例えば、「７７７」）を示し、遊技者にとって有利な大当り状態になったとき、一定の条件の下で開閉扉９ａを所定回数開成させて一度に多くの入賞球が得られる入賞装置９が装着される。
【００１５】
前記前面枠４は、合成樹脂材からなり遊技盤取付枠３の前面全体を覆う大きさを有し、その前面を斬新なデザインのカバー部１０により被覆している。前面枠４のほぼ中央に遊技盤５の遊技部５ａが臨む窓開口１１が開設され、該窓開口１１に二枚の透明板１２，１２が前後に位置して装着される。前面枠４の前面一側には、打球発射部（図示せず。）へ供給する遊技球を貯留するための球皿１３が設けられ、その上方に球皿１３と連通しパチンコ遊技機Ｐ，Ｐ間に介在される所謂台間サンド（図示せず。）からの貸し球を受け入れるための副球皿１４が設けられている。前記前面枠４の前面他側はカバー部１０が前方へ膨出しており、該膨出部１５に打球発射部へ供給されるパチンコ球の打球力を調節する遊技機用のハンドル１６が装着されている。
【００１６】
次に、前記表示装置７について詳しく説明する。この表示装置７は、図２、図３に示すように中央に開口１７を有し遊技盤５面に取り付けられる取付板１８を備えている。該取付板１８の後側に、遊技球の外径よりもやや広い間隔離し取付板１８と一体に内枠１９が設けられる。また、この内枠１９の後側に表示器７ｂが配設され、その前面の表示部７ａが内枠１９に開設された方形状の透孔１９ａに臨んでいる。
【００１７】
前記取付板１８の後側であり開口１７の下辺に沿って該開口１７を介して飛入した遊技球Ｂが載ってある程度自由に遊動するステージ２０が設けられ、また、取付板１８の後側であり開口１７の両側辺に沿って所謂ワープ通路と称される球誘導通路２１，２１が設けられている。各球誘導通路２１の上端部には遊技盤３面を流下する遊技球Ｂを球誘導通路２１内に流入させるための球流入口２２が開設され、各球誘導通路２１の下端には前記ステージ２０の上面と連なる球流出口２３が開設されている。
【００１８】
前記ステージ２０の上面は中央部がなだらかな山状に突出して成形され、その一番高い部位に底面が後側へ下傾する案内溝２４が設けられ、その後端の内枠１９に遊技球Ｂが流入する開口部２５が開設されている。該開口部２５はその下方に設けられる排出通路２６と連通しており、該排出通路２６の流下端が取付板１８前面の下部中央に開設される球排出口２７に連通している。前記始動入賞口８は投影して球排出口２７と同一鉛直線上に位置しかつその下方の遊技盤５面に装着されており、遊技球が入賞し難い起立位置と遊技球が入賞し易い逆八の字状となる傾動位置とに回動する一対の可動翼片８ａ，８ａを有する。そして、球排出口２７から排出される遊技球Ｂは始動入賞口８に入賞する確率が非常に高くなるように設定されている。
【００１９】
そこで、例えば遊技盤５面を流下する遊技球Ｂであって球流入口２２から球誘導通路２１に流入した遊技球Ｂは、下端の球流出口２３からステージ２０の上面に導かれその上面を遊動する。この間、たまたま前記案内溝２４に嵌り開口部２５に入った遊技球Ｂは、排出通路２６を介して球排出口２７から排出される。
【００２０】
前記球排出口２７の後側であって排出通路２６の下方に該球排出口２７から排出される遊技球Ｂを他の遊技球に邪魔されずに確実に始動入賞口８に導くための防護部材２８が配置される。この防護部材２８は、図４に示すように前記球排出口２７の下縁に遊技盤５面と平行かつ水平に配置され前後方向に自在に回転する支軸２９と該支軸２９の両端に該支軸２９に直角に固着される一対の防護板３０，３０とからなる。各防護板３０は側面扇形状をなすと共に遊技球１個が隠れる程度の大きさを有しその一側に支軸２９が固着される。取付板１８には、前記球排出口２７の両側に位置して縦長孔３１，３１が開設され、前記支軸２９の前側への回動と共に各防護板３０が各縦長孔３１を介して前後方向へ進退動、正確には前後方向へ回転して進出または後退し、球排出口２７の両側を囲うようになっている。
【００２１】
更に詳しく説明すると、前記各防護板３０に所定重さの重錘３２がその偏心位置に埋設され、防護部材２８が常に後方へ回動するように付勢されている。また、支軸２９の外周面にほぼ１８０度位置を異ならせて一対の突片３３ａ，３３ｂが一体に設けられる。そして、防護部材２８が後側へ回動し一方の突片３３ａが球排出口２７の下縁に当接して防護部材２８が停止しているとき、他方の突片３３ｂが排出通路２６の底面より僅かに上方へ突出している。
【００２２】
そこで、排出通路２６内を流下する遊技球Ｂが球排出口２７から排出されるとき、該遊技球Ｂが前記他方の突片３３ｂを押し下げる。これにより、防護部材２８が、その付勢に抗して前側へ回動して前記球排出口２７からの遊技球Ｂの排出と同時に両防護板３０，３０が両縦長孔３１，３１から前側へ突出し、他方の突片３３ｂが球排出口２７の下端縁に当接することにより停止する。また、遊技球Ｂが他方の突片３３ｂから外れ落下することにより、防護部材２８がその自重で後側へ回動して元の位置に戻るようになっている。
【００２３】
本発明に係るパチンコ遊技機Ｐは上記構成からなり、次に作用を説明する。図３に示すように遊技盤５面を流下する遊技球Ｂであって、表示装置７の内枠１９に受け入れられステージ２０の開口部２５から図５（イ）に示すように排出通路２６に流入した遊技球Ｂは、球排出口２７から遊技盤５面に排出され下方の始動入賞口８に導かれる。
【００２４】
この際、図５（ロ）に示すように遊技球Ｂが球排出口２７に差し掛かったとき、該遊技球Ｂが支軸２９の他方の突片３３ｂを押し下げ、防護部材２８をその付勢に抗して前側へ回動させる。これにより、図５（ハ）に示すように該遊技球Ｂの排出と同時に両防護板３０，３０が両縦長孔３１，３１から前側へ突出して該遊技球Ｂの両側を囲うことになる。よって、この状態で仮に他の遊技球Ｂが横方向から飛んできて前記遊技球Ｂに接触しようとすることがあっても防護板３０，３０により阻止され、遊技球Ｂは下方の始動入賞口８に確実に導かれることになる。
【００２５】
前記遊技球Ｂが他方の突片３３ｂから外れ始動入賞口８に達する頃には、図５（ニ）に示すように防護部材２８はその自重で後側へ回動して元の位置に戻っている。
【００２６】
このように、本発明に係るパチンコ遊技機Ｐにあっては、球排出口２７から排出される遊技球Ｂを防護部材２８により防護してその下方の始動入賞口８へ確実に導くようにしたので、遊技者の期待を裏切るようなことが起きず遊技が楽しんで行なえ、これにより遊技上のサービスの向上を図ることができる。なお、前記防護板３０は支軸２９の両端にそれぞれ一枚ずつ設けるようにしたが、遊技盤５面のゲージの状況によっては防護板３０を支軸２９のいずれか一方の端のみに固着するようにしても良い。
【００２７】
本実施の形態にあっては、防護部材２８がその自重で後側の停止位置に回動するようにしているが、他に図６（イ）に示すように防護部材２８であって支軸２９に突設された一方の突片３３ａと取付板１８の後面に張り出された支持板３４との間に引張りスプリング３５を介在させるようにしても良い。そして、図６（ロ）に示すように遊技球Ｂが球排出口２７に差し掛かったとき、該遊技球Ｂが支軸２９の他方の突片３３ｂを押し下げ、防護部材２８を引張りスプリング３５のバネ力に抗して前側へ回動させる。これにより、該遊技球Ｂの排出と同時に両防護板３０，３０が両縦長孔３１,３１から前側へ突出することになり、該遊技球Ｂの両側を囲うことになる。
【００２８】
また、遊技球Ｂが排出された後は、引張りスプリング３５により前側へ回動した防護部材２８を再び後側の停止位置に戻す。引張りスプリング３５のバネ力は、前記球排出口２７から排出される遊技球Ｂによっては防護部材２８が回動し、遊技球Ｂが排出された後は防護部材２８が後側の元の位置に復帰するようにその強さが設定される。
【００２９】
また、図７（イ）（ロ）も他の実施の形態を示すものである。この実施の形態は、図７（イ）に示すように支軸３６外周面から鉤状の引掛け杆３７を突設する。一方、取付板１８の後面から後方へ張設される支持板３８に水平な軸杆３９を軸支すると共に該軸杆３９に鉛直面内で前後に自在に回動する作用杆４０が一体に設けられている。また、その近傍であって遊技盤５の後面にプランジャ４１ａが上下方向に沿って摺動する電気的な駆動手段としてのソレノイド４１が取着される。
【００３０】
前記作用杆４０の一端（前端）を引掛け杆３７に係止し、他端（後端）を前記ソレノイド４１のプランジャ４１ａ上端に係止する。また、排出通路２６の所定位置にそこから排出される遊技球Ｂを検出するための球検出器４２（例えば、フォトスイッチ）が配置されている。そして、排出通路２６を流下する遊技球Ｂを前記球検出器４２によって検出することにより、図７（ロ）に示すようにソレノイド４１が励磁されて防護部材２８を前側へ回動させるようにする。また、前記球検出器４２が遊技球Ｂを検出してから所定時間（例えば、１秒）経過後に、ソレノイド４１を消磁させて防護部材２８を後側へ回動させ元の位置に復帰させるようにする。
【００３１】
これらいずれの他の実施の形態であっても、球排出口２７から排出される遊技球Ｂは仮に他の遊技球が横方向から飛んできて前記遊技球Ｂに接触しようとすることがあっても、防護板３０，３０により阻止され、下方の始動入賞口８に確実に導かれることになる。なお，前記両他の実施の形態にあっては，本実施の形態と構成がほとんど同一なので、同一部位は同一番号を附すことにより詳しい説明は省略している。
【図面の簡単な説明】
【００３２】
【図１】本発明が適用されるパチンコ遊技機の正面図。
【図２】表示装置部位の斜視図。
【図３】同正面図。
【図４】防護部材部位の正面断面図。
【図５】（イ）（ロ）（ハ）（ニ）はそれぞれ防護部材の作用を示す球排出口部位の側面断面図。
【図６】（イ）（ロ）は他の実施の形態に係る防護部材の作用を示す球排出口部位の側面断面図。
【図７】（イ）（ロ）は他の実施の形態に係る防護部材の作用を示す球排出口部位の側面断面図。
【符号の説明】
【００３３】
５          遊技盤
７          役物装置（表示装置）
８          入賞口（始動入賞口）
２７        球排出口
２８        防護部材
２９        支軸
３０        防護板
３３ａ      突片
３３ｂ      突片
３５        引張りスプリング
４１        駆動手段（ソレノイド）
４２        球検出器
Ｂ          遊技球
Ｐ          パチンコ遊技機
【図１】
2006314395.tif 000003
【図２】
2006314395.tif 000004
【図３】
2006314395.tif 000005
【図４】
2006314395.tif 000006
【図５】
2006314395.tif 000007
【図６】
2006314395.tif 000008
【図７】
2006314395.tif 000009